(57)【特許請求の範囲】
【請求項１】
互いに隣り合う方向に配列された複数の縦糸と、前記複数の縦糸と交差して配列された複数の横糸とが織られた縦横シート部と、
前記複数の縦糸に連結されて前記縦糸と交差する方向に延ばされた樹脂製の付け睫毛ベース部と
を備えることを特徴とする付け睫毛シート。
【請求項２】
前記縦糸と前記横糸とが互いに直交する方向に延ばされて格子状に配列されていることを特徴とする請求項１に記載の付け睫毛シート。
【請求項３】
前記縦横シート部は、前記縦糸及び横糸が配列された縦横部と、前記横糸が配列されていない非横糸部とを備え、
前記付け睫毛ベース部が、前記非横糸部に設けられていることを特徴とする請求項１又は請求項２に記載の付け睫毛シート。
【請求項４】
前記縦横部と前記非横糸部とが、前記縦横シート部の長手方向に交互に複数設けられており、
前記付け睫毛ベースが、それぞれの前記非横糸部に設けられていることを特徴とする請求項３に記載の付け睫毛シート。
【請求項５】
前記横糸の径寸法が、前記縦糸の径寸法より大きくなっていることを特徴とする請求項１から請求項４のいずれか一項に記載の付け睫毛シート。
【請求項６】
前記複数の横糸の隣り合う間隔が、前記複数の縦糸の隣り合う間隔よりも大きくなっていることを特徴とする請求項１から請求項５のいずれか一項に記載の付け睫毛シート。
【請求項７】
前記縦糸がナイロンからなることを特徴とする請求項１から請求項６のいずれか一項に記載の付け睫毛シート。
【請求項８】
前記付け睫毛ベース部が熱可塑性樹脂からなることを特徴とする請求項１から請求項７のいずれか一項に記載の付け睫毛シート。
【請求項９】
前記付け睫毛ベース部が射出成形により前記複数の縦糸と一体に連結されていることを特徴とする請求項８に記載の付け睫毛シート。
【請求項１０】
前記付け睫毛ベース部が、前記縦横シート部の長手方向に複数設けられていることを特徴とする請求項１から請求項９のいずれか一項に記載の付け睫毛シート。
【請求項１１】
互いに隣り合う方向に配列された複数の縦糸と、前記複数の縦糸と交差して配列された複数の横糸とが織られた縦横シート部に、前記複数の縦糸に連結されて前記縦糸と交差する方向に延ばされた樹脂製の付け睫毛ベース部を設けるベース設置手段を備えることを特徴とする付け睫毛シート製造装置。
【請求項１２】
付け睫毛シートを製造する付け睫毛シート製造装置における付け睫毛シート製造プログラムであって、
互いに隣り合う方向に配列された複数の縦糸と、前記複数の縦糸と交差して配列された複数の横糸とが織られた縦横シート部に、前記複数の縦糸に連結されて前記縦糸と交差する方向に延ばされた樹脂製の付け睫毛ベース部を設けるベース設置ステップを
前記付け睫毛シート製造装置に実行させる付け睫毛シート製造プログラム。
【請求項１３】
請求項１から請求項１０のいずれか一項に記載の付け睫毛シートから、前記横糸を除去する横糸除去ステップを含むことを特徴とする付け睫毛の製造方法。
【請求項１４】
前記横糸除去ステップにおいて、前記横糸に除去ブラシを当接させて、前記横糸と交差する方向に前記除去ブラシを移動させることにより、前記横糸を除去することを特徴とする請求項１３に記載の付け睫毛の製造方法。
【請求項１５】
互いに隣り合う方向に配列された複数の縦糸と、前記複数の縦糸と交差して配列された複数の横糸とが織られた縦横シート部に、前記複数の縦糸に連結されて前記縦糸と交差する方向に延ばされた樹脂製の付け睫毛ベース部を設けるベース設置ステップと、
前記ベース設置ステップにおいて付け睫毛ベース部が設けられた付け睫毛シートから、前記横糸を除去する横糸除去ステップと
を含むことを特徴とする付け睫毛の製造方法。
【請求項１６】
互いに隣り合う方向に配列された複数の縦糸と、前記複数の縦糸と交差して配列された複数の横糸とが織られた縦横シート部に、前記複数の縦糸に連結されて前記縦糸と交差する方向に延ばされた樹脂製の付け睫毛ベース部を設けるベース設置手段と、
前記ベース設置手段によって付け睫毛ベース部が設けられた付け睫毛シートから、前記横糸を除去する横糸除去手段と
を備えることを特徴とする付け睫毛製造装置。
【請求項１７】
付け睫毛を製造する付け睫毛製造装置における付け睫毛製造プログラムであって、
互いに隣り合う方向に配列された複数の縦糸と、前記複数の縦糸と交差して配列された複数の横糸とが織られた縦横シート部に、前記複数の縦糸に連結されて前記縦糸と交差する方向に延ばされた樹脂製の付け睫毛ベース部を設けるベース設置ステップと、
前記ベース設置ステップによって付け睫毛ベース部が設けられた付け睫毛シートから、前記横糸を除去する横糸除去ステップとを
前記付け睫毛製造装置に実行させる付け睫毛製造プログラム。
【発明の詳細な説明】
【技術分野】
【０００１】
本発明は、付け睫毛シート、付け睫毛シート製造装置、付け睫毛シート製造プログラム、付け睫毛の製造方法、付け睫毛製造装置及び付け睫毛製造プログラムに関する。
【背景技術】
【０００２】
従来、女性の目を飾るための一つとして付け睫毛が利用されている（例えば、特許文献１参照。）。
このような付け睫毛は、以下のように製造されるのが一般的である。まず、作業者が、睫毛となる一本の糸を線状のベース部材に結び付ける。そして、結び付けた一本の糸と並行になるように、当該一本の糸の隣に、作業者が新たな糸を結び付ける。これら糸を結び付けることを繰り返すことにより、ベース部材の一方側に延びた複数の平行な糸が結び付けられる。さらに、複数の糸を適切な長さにカットすることにより、付け睫毛が製造される。
【先行技術文献】
【特許文献】
【０００３】
【特許文献１】特公平０２−２９７６２号公報
【発明の概要】
【発明が解決しようとする課題】
【０００４】
しかしながら、上記のような付け睫毛の製造方法によると、睫毛となる極めて細い糸を、作業員が手で一本一本結び付けるため、作業員の熟練を要するだけでなく、製造に時間がかかってしまうという問題がある。
また、それら糸の取り付け作業を機械化することが考えられるものの、睫毛となる極めて細い糸を隣り合うように整然と並べてベース部材に取り付けることは困難である。
【０００５】
本発明は、このような問題を解決するためになされたものであり、付け睫毛を迅速かつ容易に製造することができる付け睫毛シート、付け睫毛シート製造装置、付け睫毛シート製造プログラム、付け睫毛の製造方法、付け睫毛製造装置及び付け睫毛製造プログラムを提供することを目的とする。
【課題を解決するための手段】
【０００６】
上記課題を解決するために、本発明は以下の手段を提供する。
本発明は、互いに隣り合う方向に配列された複数の縦糸と、前記複数の縦糸と交差して配列された複数の横糸とが織られた縦横シート部と、前記複数の縦糸に連結されて前記縦糸と交差する方向に延ばされた樹脂製の付け睫毛ベース部とを備えることを特徴とする。
【０００７】
この発明によれば、細かい複数の縦糸であっても、それら複数の縦糸を付け睫毛ベース部に容易に取り付けることができる。すなわち、縦糸と横糸とが交差して織られたシートという簡易な構成を利用することにより、複数の縦糸を並べた状態を横糸によって保持することができる。
そのため、複数の縦糸を付け睫毛ベース部に簡単に取り付けることができ、付け睫毛を迅速かつ容易に製造することができる。
【０００８】
また、本発明は、前記縦糸と前記横糸とが互いに直交する方向に延ばされて格子状に配列されていることを特徴とする。
【０００９】
この発明によれば、横糸によって複数の縦糸の配列を容易に保持することができる。
【００１０】
また、本発明は、前記縦横シート部は、前記縦糸及び横糸が配列された縦横部と、前記横糸が配列されていない非横糸部とを備え、前記付け睫毛ベース部が、前記非横糸部に設けられていることを特徴とする。
【００１１】
この発明によれば、付け睫毛ベース部の周辺における横糸をなくすことができる。
【００１２】
また、本発明は、前記縦横部と前記非横糸部とが、前記縦横シート部の長手方向に交互に複数設けられており、前記付け睫毛ベースが、それぞれの前記非横糸部に設けられていることを特徴とする。
【００１３】
この発明によれば、複数の付け睫毛を迅速かつ容易に製造することができる。
【００１４】
また、本発明は、前記横糸の径寸法が、前記縦糸の径寸法より大きくなっていることを特徴とする。
【００１５】
この発明によれば、横糸を容易に除去することができる。
【００１６】
また、本発明は、前記複数の横糸の隣り合う間隔が、前記複数の縦糸の隣り合う間隔よりも大きくなっていることを特徴とする。
【００１７】
この発明によれば、横糸を除去しやすくすることができる。
【００１８】
また、本発明は、前記縦糸がナイロンからなることを特徴とする。
【００１９】
この発明によれば、縦横シート部の製造を容易にすることができるだけでなく、付け睫毛ベース部を容易に設けることができる。
【００２０】
また、本発明は、前記付け睫毛ベース部が熱可塑性樹脂からなることを特徴とする。
【００２１】
この発明によれば、迅速かつ容易に付け睫毛ベース部を設けることができる。
【００２２】
また、本発明は、前記付け睫毛ベース部が射出成形により前記複数の縦糸と一体に連結されていることを特徴とする。
【００２３】
この発明によれば、迅速かつ容易に付け睫毛ベース部を設けることができるだけでなく、付け睫毛ベース部と縦糸とを強固に連結することができる。
【００２４】
また、本発明は、前記付け睫毛ベース部が、前記縦横シート部の長手方向に複数設けられていることを特徴とする。
【００２５】
この発明によれば、迅速かつ容易に付け睫毛を製造することができる。
【００２６】
また、本発明は、互いに隣り合う方向に配列された複数の縦糸と、前記複数の縦糸と交差して配列された複数の横糸とが織られた縦横シート部に、前記複数の縦糸に連結されて前記縦糸と交差する方向に延ばされた樹脂製の付け睫毛ベース部を設けるベース設置手段を備えることを特徴とする。
【００２７】
この発明によれば、上記付け睫毛シートを迅速かつ容易に製造することができる。
【００２８】
また、本発明は、付け睫毛シートを製造する付け睫毛シート製造装置における付け睫毛シート製造プログラムであって、互いに隣り合う方向に配列された複数の縦糸と、前記複数の縦糸と交差して配列された複数の横糸とが織られた縦横シート部に、前記複数の縦糸に連結されて前記縦糸と交差する方向に延ばされた樹脂製の付け睫毛ベース部を設けるベース設置ステップを前記付け睫毛シート製造装置に実行させる。
【００２９】
この発明によれば、上記付け睫毛シートを迅速かつ容易に製造することができる。
【００３０】
また、本発明は、請求項１から請求項１０のいずれか一項に記載の付け睫毛シートから、前記横糸を除去する横糸除去ステップを含むことを特徴とする。
【００３１】
この発明によれば、付け睫毛シートから横糸を除去することにより、付け睫毛を迅速かつ容易に製造することができる。
【００３２】
また、本発明は、前記横糸除去ステップにおいて、前記横糸に除去ブラシを当接させて、前記横糸と交差する方向に前記除去ブラシを移動させることにより、前記横糸を除去することを特徴とする。
【００３３】
この発明によれば、除去ブラシを擦るだけで横糸を除去することができるので、迅速かつ容易に付け睫毛を製造することができる。
【００３４】
また、本発明は、互いに隣り合う方向に配列された複数の縦糸と、前記複数の縦糸と交差して配列された複数の横糸とが織られた縦横シート部に、前記複数の縦糸に連結されて前記縦糸と交差する方向に延ばされた樹脂製の付け睫毛ベース部を設けるベース設置ステップと、前記ベース設置ステップにおいて付け睫毛ベース部が設けられた付け睫毛シートから、前記横糸を除去する横糸除去ステップとを含むことを特徴とする。
【００３５】
この発明によれば、迅速かつ容易に付け睫毛を製造することができる。
【００３６】
また、本発明は、互いに隣り合う方向に配列された複数の縦糸と、前記複数の縦糸と交差して配列された複数の横糸とが織られた縦横シート部に、前記複数の縦糸に連結されて前記縦糸と交差する方向に延ばされた樹脂製の付け睫毛ベース部を設けるベース設置手段と、前記ベース設置手段によって付け睫毛ベース部が設けられた付け睫毛シートから、前記横糸を除去する横糸除去手段とを備えることを特徴とする。
【００３７】
この発明によれば、迅速かつ容易に付け睫毛を製造することができる。
【００３８】
また、本発明は、付け睫毛を製造する付け睫毛製造装置における付け睫毛製造プログラムであって、互いに隣り合う方向に配列された複数の縦糸と、前記複数の縦糸と交差して配列された複数の横糸とが織られた縦横シート部に、前記複数の縦糸に連結されて前記縦糸と交差する方向に延ばされた樹脂製の付け睫毛ベース部を設けるベース設置ステップと、前記ベース設置ステップによって付け睫毛ベース部が設けられた付け睫毛シートから、前記横糸を除去する横糸除去ステップとを前記付け睫毛製造装置に実行させる。
【００３９】
この発明によれば、迅速かつ容易に付け睫毛を製造することができる。
【発明の効果】
【００４０】
本発明によれば、付け睫毛を迅速かつ容易に製造することができる。
【図面の簡単な説明】
【００４１】
【図１】本発明の実施形態としての付け睫毛シートを示す平面図である。
【図２】本発明の実施形態としての付け睫毛シート製造装置において、付け睫毛シートを製造する様子を示す説明図である。
【図３】図１の付け睫毛シートから付け睫毛を製造する様子を示す図であって、切断線の様子を示す斜視図である。
【図４】図３の付け睫毛シートから付け睫毛の部分を切り取った様子を示す斜視図である。
【図５】図４の縦横部から除去ブラシにより横糸を除去する様子を示す説明図である。
【図６】図５の縦横部から除去ブラシにより横糸を除去して、付け睫毛を製造した様子を示す説明図である。
【図７】図６の付け睫毛の付け睫毛ベース部が湾曲した様子を示す斜視図である。
【図８】図７の付け睫毛を横方向から見た説明図である。
【図９】本発明の実施形態としての付け睫毛製造装置を概念的に示す説明図である。
【図１０】付け睫毛シートの第１の変形例を示す平面図である。
【図１１】付け睫毛シートの第２の変形例を示す平面図である。
【図１２】付け睫毛シートの第３の変形例を示す平面図である。
【発明を実施するための形態】
【００４２】
（実施形態）
以下、本発明の実施形態における付け睫毛シートについて説明する。
図１は、本発明の実施形態としての付け睫毛シート１を示す平面図である。
付け睫毛シート１は、矩形シート状の縦横シート部２と、この縦横シート部２に設けられた付け睫毛ベース部３とを備えている。
なお、符号Ｗは、縦横シート部２の幅方向を示すものであり、符号Ｈは、縦横シート部２の高さ方向を示すものである。
縦横シート部２は、複数の縦糸２１と複数の横糸２２とを有する縦横部２ａと、複数の縦糸２１のみからなり横糸２２が配列されていない非横糸部２ｂとを備えている。これら縦横部２ａと非横糸部２ｂとは、高さ方向Ｈに交互に設けられている。
縦糸２１及び横糸２２は、樹脂からなるものであり、例えばナイロンからなっている。
また、横糸２２の径寸法ｒ（図８に示す）は、縦糸２１の径寸法よりも大きくなっている。
【００４３】
縦糸２１は、互いに隣り合う方向（自身の長さ方向に直交する方向、幅方向Ｗ）に均等間隔を空けて複数配列されている。これら縦糸２１の長さ方向と、高さ方向Ｈとは同じ方向になっている。そして、縦糸２１は、縦横シート部２の高さ方向Ｈの全長にわたって延ばされている。
一方、横糸２２は、縦横部２ａにおいて、縦糸２１の長さ方向に直交する方向に向けられて、互いに隣り合う方向（自身の長さ方向に直交する方向、高さ方向Ｈ）に均等間隔を空けて複数配列されている。すなわち、縦糸２１と横糸２２とは、縦横部２ａにおいて、互いに直交する方向に延ばされて格子状に配列されている。そして、縦糸２１と横糸２２とは、格子状に配列されて互い違いに織り込まれることにより、シート状の縦横部２ａとなっている。
【００４４】
非横糸部２ｂには、幅方向Ｗに線状に延ばされた付け睫毛ベース部３が設けられている。付け睫毛ベース部３は、縦糸２１に連結されている。また、付け睫毛ベース部３は、熱可塑性樹脂からなっており、例えば、スチレン系のエラストマーからなっている。この付け睫毛ベース部３は、縦横シート部２の表裏にわたって射出成形により取り付けられており、縦糸２１と一体に連結されている。
なお、縦横シート部２の幅方向Ｗの両端部には、矩形状の孔４が高さ方向に複数配列されている。
【００４５】
次いで、付け睫毛シート１の製造のプロセスについて説明する。
図２は、付け睫毛シート１の製造の様子を示す説明図である。なお、図２においては、縦糸２１及び横糸２２を省略して示していることは言うまでもない。
符号１０は、付け睫毛シート製造装置を示すものである。
付け睫毛シート製造装置１０は、巻回された縦横シート部２を排出するための排出軸１１と、排出された縦横シート部２を巻き取るための巻き取り軸１５と、排出された縦横シート部２を引っぱるギヤ１２と、付け睫毛ベース部３を射出成形するための金型（ベース設置手段）１３とを備えている。
排出軸１１及び巻き取り軸１５は、上下一対をなして高さ方向Ｈに対向して配置されており、巻回されたローラ状の縦横シート部２を上から下に移動させるように回転するものである。
ギヤ１２は、幅方向Ｗに対向して対をなして配置されており、回転軸１２ａを回転中心として回転する。また、ギヤ１２は、排出軸１１の近傍と巻き取り軸１５の近傍とのそれぞれに配置されている。ギヤ１２の歯は、孔４内に配されて、縦横シート部２を上方から下方に引っぱるとともに、縦横シート部２の幅方向Ｗの両端部の高さ位置を揃えて位置決めするようになっている。
金型１３は、凸部１３ａと凹部１３ｂとを備えている。凸部１３ａは、縦横シート部２の一方の主面側に配され、凹部１３ｂは、縦横シート部２の他方の主面側に配されている。すなわち、凸部１３ａと凹部１３ｂとが、縦横シート部２の表裏から挟むようになっている。
【００４６】
このような構成のもと、以下のようにして付け睫毛付きシート１が製造される。
まず、排出軸１１と巻き取り軸１５とに縦横シート部２を設置する。そして、付け睫毛付きシート１を駆動する。すると、排出軸１１、ギヤ１２及び巻き取り軸１５が、縦横シート部２を上方から下方に移動させるように回転し、非横糸部２ｂが凸部１３ａと凹部１３ｂとの間の所定の位置に配されると、回転を停止する。そして、凸部１３ａが凹部１３ｂに接近するように移動していき、凸部１３ａと凹部１３ｂとが嵌め合わされる。それから、溶融したエラストマーが金型１３内に送り込まれて射出成形が行われる（ベース設置ステップ）。さらに、凸部１３ａが凹部１３ｂに対して離れるようにして移動すると、付け睫毛ベース部３が、非横糸部２ｂの表裏にわたって、縦糸２１と一体に連結される。
それから、排出軸１１、ギヤ１２及び巻き取り軸１５が、縦横シート部２を上方から下方に移動させるように回転し、上記行程を繰り返す。
【００４７】
次いで、付け睫毛シート１から付け睫毛を製造するプロセスについて、図３から図７を参照して説明する。
図３は、付け睫毛シート１の切断の様子を示す説明図である。なお、図３においては、縦糸２１、横糸２２及び孔４を省略して示していることは言うまでもない。
まず、付け睫毛付きシート１の所定の箇所をカッターなどで切断する。一つの付け睫毛ベース部３に対して切断する箇所を図３における符号Ａ１からＡ４まで二点鎖線で示している。すなわち、符号Ａ１に示すように、付け睫毛ベース部３の直近を付け睫毛ベース部３に沿って幅方向Ｗに縦横シート部２を切断する。そして、符号Ａ２に示すように、付け睫毛ベース部３のうち幅方向Ｗの一端から高さ方向Ｈに縦横シート部２を切断する。さらに、符号Ａ３に示すように、付け睫毛ベース部３のうち幅方向Ｗの他端から高さ方向Ｈに縦横シート部２を切断する。そして、符号Ａ４に示すように、縦糸２１が付け睫毛ベース部３から所定の長さになる位置で、幅方向Ｗに縦横シート部２を切断する。すなわち、図３の斜線で示す領域が付け睫毛として使用する領域となる。
【００４８】
上記のように切断すると、図４に示すように、付け睫毛付きシート１から、縦横部２ａ、非横糸部２ｂ及び付け睫毛ベース部３が抽出される（縦糸カットステップ）。
そして、図５に示すように、非横糸部２ｂから縦横部２ａにかけて除去ブラシＢを当接させた状態で、当該除去ブラシＢを付け睫毛ベース部３から離れる離隔方向Ｄに移動させる。すなわち、非横糸部２ｂから縦横部２ａにわたって、離隔方向Ｄに除去ブラシＢを何回か擦りつける。これによって、除去ブラシＢのブラシにより、横糸２２が擦り取られていく。そして、これにより、図６に示すように、横糸２２が除去される（横糸除去ステップ）。このとき、付け睫毛ベース部３が溶融した熱可塑性樹脂からなっていることから、硬化時の収縮により、付け睫毛ベース部３が湾曲状に撓む。これにより、図７に示すように、付け睫毛ベース部３が湾曲した付け睫毛５が製造される。すなわち、付け睫毛５は、湾曲状の付け睫毛ベース部３と、この付け睫毛ベース部３に直交する方向に延ばされた複数の睫毛部６とを有するものである。なお、睫毛部６は、縦糸２１であって、付け睫毛ベース部３の長さ方向に均等間隔を空けて設けられている。
【００４９】
なお、図８に示すように、付け睫毛ベース部３は、横断面形状が半円状に形成されており、その周方向の一部が平坦部３ａとされ、周方向の残りの部分が円弧部３ｂとされている。そして、円弧部３ｂの周方向の中央（横断面の中心点Ｅを挟んで平坦部３ａと反対側の中央）から睫毛部６が円弧部３ｂの径方向外方に延ばされている。
睫毛部６は、横糸２２が織られていたことから、付け睫毛ベース部３の長さ方向から見て、波線状になっている。
この付け睫毛５は、まぶたの湾曲に沿って平坦部３ａを接着することにより使用される。
【００５０】
以上より、本実施形態における付け睫毛付きシート１によれば、縦横シート部２に付け睫毛ベース部３が設けられていることから、極めて細かい複数の縦糸２１であっても、それら複数の縦糸２１を付け睫毛ベース部３に容易に取り付けることができる。すなわち、極めて細かい複数の縦糸を隣り合う方向に細かい間隔で配列させても、それら複数の縦糸を整然と並べた状態を保持することは困難であり、ましてベース部材などに整然と取り付けることは極めて困難である。しかし、本実施形態においては、縦糸２１と横糸２２とが交差して織られたシートという簡易な構成を利用することにより、複数の縦糸２１を整然と並べた状態を、横糸２２によって保持することができる。そのため、極めて細かい複数の縦糸２１を付け睫毛ベース部３に整然と取り付けることができ、付け睫毛５を迅速かつ容易に製造することができる。
また、縦糸２１と横糸２２とが織られていることから、図８に示すように、幅方向Ｗから見て縦糸２１を波線状にすることができる。そのため、マスカラなどの塗りや定着を容易にすることができる。
【００５１】
また、縦糸２１と横糸２２とが直交する方向に延ばされて格子状に配列されていることから、横糸２２によって複数の縦糸２１の配列を容易に保持することができ、複数の縦糸２１の波線状を揃えつつ滑らかにすることができる。
また、非横糸部２ｂに付け睫毛ベース部３が設けられていることから、付け睫毛ベース部３の高さ方向Ｈの周辺における横糸２２をなくすことができる。そのため、付け睫毛ベース部３周辺の除去し難いエリアの横糸２２の除去を不要とすることができ、除去ブラシＢによって横糸２２全体を容易に除去することができる。さらに、付け睫毛ベース部３を設けるときに、横糸２２の一部が付け睫毛ベース部３に連結されてしまうことによる横糸２２の残存を防止することができ、付け睫毛５を製造するときの品質を向上させることができる。
【００５２】
また、縦横部２ａと非横糸部２ｂとが、高さ方向Ｈに交互に複数設けられていることから、複数の付け睫毛５を迅速かつ容易に製造することができる。
また、横糸２２の径寸法ｒが縦糸２１の径寸法よりも大きくなっていることから、横糸２２を容易に除去することができるだけでなく、縦糸２１の波線状をより滑らかにすることができる。
また、縦糸２１がナイロンからなっていることから、縦横シート部２の製造を容易にすることができるだけでなく、付け睫毛ベース部３を容易に設けることができ、さらに縦糸２１を容易に波線状にすることができる。
また、付け睫毛ベース部３が熱可塑性樹脂からなっていることから、迅速かつ容易に付け睫毛ベース部３を設けることができる。
【００５３】
また、付け睫毛ベース部３が射出成形により複数の縦糸２１と一体に連結されていることから、迅速かつ容易に付け睫毛ベース部３を設けることができるだけでなく、付け睫毛ベース部３と縦糸２１とを強固に連結することができる。さらに、熱可塑性樹脂が冷却されるときの付け睫毛ベース部３の収縮力を利用して、付け睫毛ベース部３を容易に湾曲させることができる。
また、付け睫毛ベース部３が高さ方向Ｈに複数設けられていることから、迅速かつ容易に付け睫毛５を製造することができる。
また、本実施形態における付け睫毛シート製造装置１０によれば、付け睫毛シート１と同様の効果を奏することができるだけでなく、付け睫毛シート１を迅速かつ容易に製造することができる。
また、本実施形態における付け睫毛５の製造方法によれば、付け睫毛シート１から横糸を除去することにより、付け睫毛５を迅速かつ容易に製造することができる。
また、横糸除去ステップにおいて、除去ブラシＢを擦るだけで横糸２２を除去することができるので、迅速かつ容易に付け睫毛５を製造することができる。
【００５４】
なお、本発明の技術範囲は上記の実施形態に限定されるものではなく、本発明の趣旨を逸脱しない範囲において、種々の変更を加えることが可能である。
例えば、図９に示すように、付け睫毛シート１の製造から付け睫毛５の製造まで、付け睫毛製造装置３０によって製造することもできる。
付け睫毛製造装置３０は、図２に示す付け睫毛シート製造装置１０を含むものであり、付け睫毛シート製造装置１０と同一の構成は同一の符号を付し、その説明を省略する。
この付け睫毛製造装置３０は、排出軸１１の下方に配置されたギヤ３４と、除去ブラシ（横糸除去手段）Ｂ１と、カッター３６と、縦横シート部２を巻き取る巻き取り軸３８とを備えている。
ギヤ３４は、縦横シート部２の表側において、幅方向Ｗに対をなして配置されている。そして、ギヤ３４は、それぞれの歯が孔４に配されるようになっており、回転軸３４ａを中心として回転することにより、上方から送られてくる縦横シート部２を引っ張り、水平方向Ｋに送り出すようになっている。
【００５５】
除去ブラシＢ１は、縦横シート部２に対して昇降可能に設置され、水平方向Ｋにスライド移動して、横糸２２を除去するようになっている。
カッター３６は、図３に示す符号Ａ１からＡ４の二点鎖線上の縦横シート部２を切断するものである。
このような構成のもと、金型１３によって付け睫毛ベース部３が設けられ（ベース設置ステップ）、ギヤ３４を介して、縦横シート部２が水平方向Ｋに排出される。そして、付け睫毛ベース部３が縦横シート部２とともに除去ブラシＢ１近傍の所定の位置まで送られると、縦横シート部２の移動が停止する。すると、除去ブラシＢ１が縦横シート部２に対して下降していき、縦横シート部２に当接した状態で水平方向Ｋに移動する。これによって、横糸２２が除去される（横糸除去ステップ）。さらに、付け睫毛ベース部３が縦横シート部２とともにカッター３６近傍の所定の位置まで送られて停止する。そして、カッター３６が縦横シート部２の所定のエリアを切断する（縦糸カットステップ）。これによって、付け睫毛５が製造される。なお、縦横シート部２は、さらに水平方向Ｋに送られて巻き取り軸３８に巻き取られる。
【００５６】
また、上記実施形態における縦横シート部２の構成も、適宜変更可能である。例えば、図１０に示す付け睫毛シート１ａのように、非横糸部２ｂを設けることなく、縦横部２Ａが全面にわたって設けられるようにしてもよい。
また、図１１に示す付け睫毛シート１ｂのように、縦横部２Ｂにおいて、横糸２２の高さ方向Ｈの配列間隔を縦糸２１の幅方向Ｗの配列間隔より大きくしてもよい。これにより、横糸２２を除去しやすくすることができる。もちろん、付け睫毛シート１ｂに非横糸部を設け、この非横糸部に付け睫毛ベース部を設けてもよい。
また、横糸２２の径寸法ｒが縦糸２１の径寸法よりも大きいとしたが、これに限ることはなく、縦糸２１と横糸２２の径寸法や間隔などは、適宜変更可能である。
また、縦糸２１と横糸２２とが直交方向に延ばされて格子状に配列されているとしたが、これに限ることはなく、それらの配列は適宜変更可能である。例えば、縦糸２１と横糸２２とを適宜の角度で交差させればよく、両者を直交させなくてもよい。さらに、縦糸２１の長さ方向を高さ方向Ｈと同方向としているが、これに限ることはなく、縦糸２１の長さ方向が高さ方向Ｈに対して傾斜していてもよい。さらに、横糸２２の長さ方向を幅方向Ｗと同方向としているが、これに限ることはなく、横糸２２の長さ方向が幅方向Ｗに対して傾斜していてもよい。すなわち、付け睫毛ベース部３に対して、直交する方向に睫毛部６が延びておらずに、傾斜していてもよい。
【００５７】
また、縦糸２１及び横糸２２がナイロンからなるとしたが、これに限ることはなく、他の素材であってもよい。例えば、他の樹脂や人毛なども利用可能である。
また、縦糸２１が波線状をなしているとしたが、これに限ることはなく、横糸を除去した後に、縦糸２１が直線状に戻るようになってもよい。
また、付け睫毛ベース部３が熱可塑性樹脂からなるとしたが、これに限ることはなく、他の素材であってもよい。
また、付け睫毛ベース部３が射出成形により縦糸２１と一体に連結されるとしたが、これに限ることはなく、その取り付け方は適宜変更可能である。例えば、ベース設置手段としての３Ｄプリンタなどにより付け睫毛ベース部３を設けるようにしてもよい（ベース設置ステップ）。
また、縦横カットステップにおいて、カットする順番は適宜変更可能である。さらに、横糸除去ステップの前後でカットしてもよい。
【００５８】
また、縦横部２ａと非横糸部２ｂとが、高さ方向Ｈに交互に複数設けられているとしたが、これに限ることはなく、それぞれ一つずつ設けられていてもよい。また、図１２の付け睫毛シート１ｃに示すように、一つの非横糸部２ｂに、付け睫毛ベース部３を高さ方向Ｈに隣り合わせて（高さ方向Ｈに対向させて）２本設けてもよい。これにより、幅方向Ｗの切断箇所を減らすことができる。すなわち、符号Ｍ１からＭ５で示す二点鎖線上をカットするだけで、６つの付け睫毛５をカットすることができる。
また、付け睫毛ベース部３の横断面形状が半円状であるとしたが、これに限ることはなく、その形状は適宜変更可能である。例えば、円形、三角形、多角形などにすることができる。
【００５９】
また、横糸除去ステップにおいて、横糸２２を除去ブラシにより除去することとしたが、これに限ることはなく、除去方法は適宜変更可能である。例えば、横糸２２を水溶性などの水に溶ける素材にして、縦横シート部２を水に漬けることにより、横糸２２を溶解させるようにしてもよい。もちろん、水溶性だけでなく、所定の液体に溶解する溶解素材から横糸２２がなるようにし、所定の液体によって横糸２２を溶解させてもよい。
また、横糸除去ステップにおいて、横糸２２と交差する方向に横糸２２を切断して（横糸切断ステップ）、これら切断された横糸をエアで除去する（除去ステップ）ようにしてもよい。この場合、ハサミのような一対の歯を、幅方向Ｗに複数並べた切断具を利用して、高さ方向Ｈに横糸２２を切断することができる。
【００６０】
また、図９に示す付け睫毛製造装置３０において、除去ブラシＢ１の下流側にカッター３６を設けるとしたが、これに限ることはなく、除去ブラシＢ１の上流のみにカッター３６を設けてもいいし、除去ブラシＢ１の上流と下流にカッター３６を設けてもよい。
また、本実施形態においては、付け睫毛５を製造するものとしたが、これに限ることはなく、製造するものとしては適宜変更可能である。例えば、付け睫毛５を、長尺状のベース部とこのベース部から交差する方向に延びる複数の線部とを備えた線状体としてもよい。すなわち、付け睫毛シート、付け睫毛シートの製造方法、付け睫毛シート製造装置、付け睫毛シート製造プログラム、付け睫毛、付け睫毛の製造方法、付け睫毛製造装置及び付け睫毛製造プログラムを、線状体シート、線状体シートの製造方法、線状体シート製造装置、線状体シート製造プログラム、線状体、線状体の製造方法、線状体製造装置及び線状体製造プログラムなどとしてもよい。
なお、線状体としては、付け睫毛の他、例えば、カツラやブラシなどに適用可能である。
例えば、付け睫毛シート１に対応して、以下のような線状体シートとすることもできる。
［付記項１］
互いに隣り合う方向に配列された複数の縦糸と、前記複数の縦糸と交差して配列された複数の横糸とが織られた縦横シート部と、
前記複数の縦糸に連結されて前記縦糸と交差する方向に延ばされたベース部と
を備えることを特徴とする線状体シート。
【００６１】
もちろん、上記実施形態や変形例をすべて線状体とすることもできることは言うまでもない。
また、付け睫毛シート製造装置１０又は付け睫毛製造装置３０の機能を実現するためのプログラムをコンピュータ読み取り可能な記録媒体に記録して、この記録媒体に記録されたプログラムをコンピュータシステムに読み込ませ、実行することにより各種処理を行ってもよい。なお、ここでいう「コンピュータシステム」とは、ＯＳや周辺機器等のハードウェアを含むものとする。
【００６２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ、ＤＶＤ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００６３】
１，１ａ，１ｂ，１ｃ  付け睫毛シート
２  縦横シート部
２ａ  縦横部
２ｂ  非横糸部
３  付け睫毛ベース部
１３  金型（ベース設置手段）
２１  縦糸
２２  横糸
Ｂ１  除去ブラシ（横糸除去手段）
ｒ  径寸法
【要約】
【課題】付け睫毛を迅速かつ容易に製造することができる付け睫毛シート、付け睫毛シート製造装置、付け睫毛シート製造プログラム、付け睫毛の製造方法、付け睫毛製造装置及び付け睫毛製造プログラムを提供すること。
【解決手段】互いに隣り合う方向に配列された複数の縦糸２１と、前記複数の縦糸２１と交差して配列された複数の横糸２２とが織られた縦横シート部２と、前記複数の縦糸２１に連結されて前記縦糸２１と交差する方向に延ばされた樹脂製の付け睫毛ベース部３とを備えることを特徴とする。
【選択図】図１【図１】
0005624704.tif 000002
【図２】
0005624704.tif 000003
【図３】
0005624704.tif 000004
【図４】
0005624704.tif 000005
【図５】
0005624704.tif 000006
【図６】
0005624704.tif 000007
【図７】
0005624704.tif 000008
【図８】
0005624704.tif 000009
【図９】
0005624704.tif 000010
【図１０】
0005624704.tif 000011
【図１１】
0005624704.tif 000012
【図１２】
0005624704.tif 000013